(57)【要約】      （修正有）【課題】標本ホルダに対する標本の着脱を容易にする。【解決手段】本発明の顕微鏡用ステージの標本ホルダは、顕微鏡用のステージ上に設置され、標本の位置を固定する標本ホルダ基台を有する標本ホルダにおいて、標本ホルダ基台は、ステージ上における標本のＸ方向およびＹ方向位置決めをする当て面と、標本の配置スペースを介してＸ方向の当て面と対向する位置に設けられ、標本を標本ホルダに設置したとき標本方向へに付勢をする押圧部材とを有し、標本を標本ホルダに設置したときの押圧部材と標本との接触部は標本の辺部に当接するように配置される。【選択図】図１
2005128441.tif 000002
【特許請求の範囲】
【請求項１】
顕微鏡用のステージ上に設置され、標本の位置を固定する標本ホルダ基台を有する標本ホルダにおいて、
前記標本ホルダ基台は、前記ステージ上における標本のＸ方向およびＹ方向位置決めをする当て面と、標本の配置スペースを介して前記Ｘ方向の当て面と対向する位置に設けられ、標本を前記標本ホルダに設置したとき標本方向へに付勢をする押圧部材とを有し、
標本を前記標本ホルダに設置したときの前記押圧部材と標本との接触部は標本の辺部に当接するように配置されることを特徴とする顕微鏡用ステージの標本ホルダ。
【請求項２】
標本の設置前、前記押圧部材の一部は前記標本ホルダ基台の標本の設置スペース側に突出し、標本を設置したとき、前記標本の設置スペース側に突出した前記押圧部材の一部が前記標本とは反対の方向に退避することを特徴とする請求項１に記載の顕微鏡用ステージの標本ホルダ。
【請求項３】
前記標本ホルダ基台は、ステージを上方から見たとき、観察者側に開放部を有するコの字状の形状をなす標本の設置スペースを有しており、前記開放部を形成する前記標本基台の観察者側の先端部の位置は、標本を設置したとき観察者側の標本の長手側辺部位置と略等しいか、または観察者に対して遠方になるようにしたことを特徴とする請求項１または２に記載の顕微鏡用ステージの標本ホルダ。
【請求項４】
請求項１から３のいずれかに記載された顕微鏡用ステージの標本ホルダを有する顕微鏡用ステージ。
【請求項５】
請求項４に記載の顕微鏡用ステージを有する顕微鏡。
【請求項６】
顕微鏡用のステージと、
前記ステージ上に設置され、標本の位置を固定する標本ホルダ基台を有する標本ホルダとを具え、
前記標本ホルダは、標本を設置したときに標本の短手方向の辺部に当接し、標本方向に付勢する押圧部材を有することを特徴とする顕微鏡。
【発明の詳細な説明】
【技術分野】
【０００１】
この発明は、顕微鏡用のステージに備える標本ホルダに関する。
【背景技術】
【０００２】
顕微鏡用のステージには、観察位置に標本を固定する標本ホルダが設置されている。
例えば、特開平１０−３９２３０号公報の従来技術には、ステージ上に配されたホルダ本体（基台）と、ホルダ本体に設置されプレパラート（標本）の一方の端面に当接する標本支持部と、標本支持部に対向する位置に設けられ、標本の他方の端面を標本支持部の方向に付勢することで標本をステージ上の観察位置に固定する回転爪を備えたものが記載されている。
この回転爪は、ホルダ本体に設けられた軸に軸回転可能に取り付けられている。この軸回転により、標本を固定する状態と標本を開放する状態とに切り替えることができる。更に回転爪は、軸に設けられた渦巻きばねを介して設置されているため、回転爪は、常に標本を固定する方向に付勢された状態になっている。したがって、標本を固定する場合には、回転爪を付勢されている方向とは逆方向に軸回転させ、つまり、回転爪を開く状態にし回転爪と標本支持部と標本ホルダ本体との間の空間に標本を配置し、その後、回転爪を標本方向の付勢により固定させる。
【特許文献１】特開平１０−３９２３０号公報
【発明の開示】
【発明が解決しようとする課題】
【０００３】
しかし、上記のように従来の技術では、回転爪は、標本が固定されていない状態においても、常に付勢された状態になっているので、標本を設置する場合、回転爪を開放する動作が必要となる。そのため、標本を装着する場合には、標本を一方の手で持ち、そして他方の手で回転爪を開放するという動作が必要になり、また、標本を観察位置に配置された状態から取り外す際も同様の動作が必要であり、面倒なものであった。
【０００４】
本発明は、容易に標本の着脱が容易に行える顕微鏡用ステージの標本ホルダ、及びこの標本ホルダを備えるステージ及びこのステージを備える顕微鏡を提供することにある。
【課題を解決するための手段】
【０００５】
本発明は第１に、「顕微鏡用のステージ上に設置され、標本の位置を固定する標本ホルダ基台を有する標本ホルダにおいて、
前記標本ホルダ基台は、前記ステージ上における標本のＸ方向およびＹ方向位置決めをする当て面と、標本の配置スペースを介して前記Ｘ方向の当て面と対向する位置に設けられ、標本を前記標本ホルダに設置したとき標本方向へに付勢をする押圧部材とを有し、
標本を前記標本ホルダに設置したときの前記押圧部材と標本との接触部は標本の辺部に当接するように配置されることを特徴とする顕微鏡用ステージの標本ホルダ」（請求項１）を提供する。
【０００６】
また、第２に「標本の設置前、前記押圧部材の一部は前記標本ホルダ基台の標本の設置スペース側に突出し、標本を設置したとき、前記標本の設置スペース側に突出した前記押圧部材の一部が前記標本とは反対の方向に退避することを特徴とする請求項１に記載の顕微鏡用ステージの標本ホルダ」（請求項２）を提供する。
【０００７】
また、第３に「前記標本ホルダ基台は、ステージを上方から見たとき、観察者側に開放部を有するコの字状の形状をなす標本の設置スペースを有しており、前記開放部を形成する前記標本基台の観察者側の先端部の位置は、標本を設置したとき観察者側の標本の長手側辺部位置と略等しいか、または観察者に対して遠方になるようにしたことを特徴とする請求項１または２に記載の顕微鏡用ステージの標本ホルダ」（請求項３）を提供する。
【０００８】
また、第４に「請求項１から３のいずれかに記載された顕微鏡用ステージの標本ホルダを有する顕微鏡用ステージ」（請求項４）を提供する。
また、第５に「請求項４に記載の顕微鏡用ステージを有する顕微鏡」（請求項５）を提供する。
【０００９】
また、第６に「顕微鏡用のステージと、前記ステージ上に設置され、標本の位置を固定する標本ホルダ基台を有する標本ホルダとを具え、前記標本ホルダは、標本を設置したときに標本の短手方向の辺部に当接し、標本方向に付勢する押圧部材を有することを特徴とする顕微鏡」（請求項６）を提供する。
【発明の効果】
【００１０】
本発明によれば、標本ホルダに対する標本の着脱が容易になる。
【発明を実施するための最良の形態】
【００１１】
以下、この発明の実施の形態を図面に基づいて説明する。
図１は本発明の標本ホルダの第1の実施形態を示す概略図であり、標本ホルダを上から見たところである。
図２（ａ）は、同じく第1の実施形態の概略構成を示す図であり、標本上に載置される標本を固定するための押圧部材が見えるようにした図１における矢視断面図である。
図２（ｂ）は図２（ａ）における押圧部材付近（円で囲んだ部分）を拡大した図である。
図３（ａ）は同じく第1の実施形態を示す図であり、標本ホルダを下から見たところである。
図３（ｂ）は図３（ａ）における押圧部材付近（円で囲んだ部分）を拡大した図である。
【００１２】
図1において、標本ホルダ基台１はステージ取付け部２に連結部材３を介して固定されている。ステージ取付け部２は図示しないステージのＸ方向（検鏡者から見て横方向）の移動部材にビス４ａ、４ｂで固定され、これにより標本ホルダ基台１が図示しないステージ上面をＸ方向に移動可能になっている。
標本ホルダ基台１は略コの字形状をしている。その開口部が検鏡者側を向いており、そこに標本７（例えばプレパラートやスライドガラス）が配置される。標本ホルダ基台１には標本７を位置決めするための当て面１ａ、１ｂ及び１ｃが構成されており、１ａ及び１ｂは、Ｙ方向（検鏡者に対して奥行き方向）の位置決めに使用され、１ａ及び１ｂに対して直角方向に構成されている１ｃはＸ方向（検鏡者に対して横方向）の位置決めに使用される。
【００１３】
標本ホルダ基台１の検鏡者側の端面１ｅ及び１ｆは標本７の短手方向の端面７ａとほぼ同じくらいの位置になっている。もちろん標本の端面７ａよりも検鏡者から見て奥側に構成されていても良い。
【００１４】
ステージ上に標本を配置し観察する場合、作業のし易さを考慮すればステージ上における観察者側のスペースは広い方が好ましい。標本ホルダ基台１における押圧部材である線ばね５の設置位置を本発明のようにしたことによって、また、押圧部材の標本との当接する部を標本の辺部（角部を除く領域）としたことにより、標本ホルダ基台１の押圧部材保持部の観察者方向の寸法を短くすることができる。そのため、ステージ上の観察者側のスペースをより広くすることが可能になり、より使い易い顕微鏡用ステージを得ることができる。
【００１５】
本発明において標本はプレパラートやスライドガラスなどであるが、その寸法は、ＪＩＳ規格で定められている76ｍｍ×26ｍｍに近似するものである。従って、本発明における標本ホルダ基台における観察者側のコの字状をなす開放部のＸ方向とＹ方向の寸法は、76ｍｍ×26ｍｍに近似する寸法であればよい。但し、図１のように、Ｙ方向の当て面であり１ａと１ｂの辺よりも観察者から見て奥行き方向（図１の紙面上の上方向）に標本の取り出しスペースを別途設けてもよい。
【００１６】
つまり、標本を設置したときに標本ホルダ基台が観察者方向に突出しないようになる寸法とは、標本のＹ方向の位置決めをする当て面とＸ方向の位置決めをする当て面とで形成されるスペースが標本と近似するか、Ｙ方向の長さがより短いものである。
また、標本７を挟んで当て面１ｃに対して反対側に位置する標本ホルダ基台１の内部には、押圧部材である線ばね５が配置されている。標本ホルダ基台１には線ばね５が収納されるスペースが略円形に構成されており、線ばね５はそのスペースに配置されている。さらに線ばね５が飛び出さないように板６で蓋をされている。すなわち線ばね５は標本ホルダ基台１と板６により構成されるスペース内に収納されている。ちなみに板６は標本ホルダ基台１の下面より突出していない。
【００１７】
線ばね５の一部は、その一部が上方（図1において紙面垂直方向）に曲げられた突起部があり、その突起部が標本ホルダ基台１に開けられた孔部１ｇに対してはめ込まれている。本実施形態では、このような構成で線ばねを固定したが、このような構成に限定されるものではなく、スペース内に線ばね固定用の固定部材を設け、これに線ばねを係合させるものでもよい。
【００１８】
上記スペースは標本７側の一部が開口しており、そこから線ばね５の一部が標本ホルダ基台１の端面１ｄから露出（突出）するように構成されている。突出量は当て面１ｃから線ばね５までの距離が標本７のＸ方向（長手方向）よりも短くなるように構成されている。そして、標本７が標本ホルダ基台１に配置された時、線ばね５が圧縮されて標本７に対してＸ方向に付勢し、これにより標本７が当て面１ｃに押圧されＸ方向の位置決めがなされる。
【００１９】
次に上記のように構成された標本ホルダに対して、標本を取り付ける動作について説明する。
検鏡者は標本７を手で持ち、図示しないステージ上面を滑らせながら標本ホルダ基台１の開口している方向からコの字形状内部へと（当て面１ａ、１ｂに向かって）真直ぐに押していく。途中標本７のＸ方向（長手方向）の端面で線ばね５を押し込むようにスライドさせ、最終的には標本７が当て面１ａ、１ｂに当たるまで押し込んでいく。
検鏡者が標本７より手を離すと標本７は線ばね５により付勢され、もう1つの当て面１ｃへと押し当てられ、これにより標本７は標本ホルダ基台１に対して位置決めされる。
また標本７を取り外す際には、逆の手順により簡単に取り外すことが可能である。
以上のように検鏡者はステージに対する標本の交換作業を片手だけを用い、少ない力で簡単に行うことが可能になる。
【００２０】
ところで従来の標本ホルダでは標本７の角部７ｂを斜め方向から付勢することにより当て面１ｃのみならず、当て面１ａ、１ｂにも押し当てるような構成にしているが、標本ホルダ基台１は図示しないステージ上面をＸ方向のみにしか移動しないためＹ方向に力が発生することはなく、あまり厳密な位置決めを必要としない場合にはＸ方向のみに付勢するだけで十分である。
【００２１】
また、本発明では標本７の角部７ｂを斜め方向から付勢することがないので、線ばねのような押圧手段を標本の角部ではなく辺の部分に構成することが出来るので、標本ホルダ基台１の検鏡者側への飛び出しを少なくすることができる（もちろん無くすこともできる）。すなわち端面（先端部）１ｅ、１ｆを標本７の端面７ａよりも検鏡者に対して奥側に構成することが可能になるため、ステージ上面において標本ホルダより手前のスペースを多く取ることが可能になる。これにより標本ホルダをステージから取り外すことなしに、標本ホルダを使用しないで検鏡する（ステージ上で標本を手で掴み、手で移動させて検鏡する）ことがはるかに容易に行うことが可能になる。これは、本発明のように標本の辺部に押圧部材の接触部が当接するように押圧部材を設置したことによるものである。
【００２２】
本実施例では、円形の線ばねを用いたが、線ばねに限らず、線ばねの直径と同じような幅を持った板ばねでも良い。また線ばねの形状は略円形に構成したが、これに限らず標本に対してＸ方向（横方向に）力を加えることができれば円形に限らず、例えば片持ち形状に構成しても良い。
【００２３】
また、押圧部材としては、標本を設置するときには、標本により基台方向（Ｘ方向）に押されることによって標本の配置領域が確保され、また、標本を取り出した後は標本を設置する前の状態に戻る機能を有するものであればよい。例えば、ばねを用いる場合、コイルばねを用いてもよい。この場合、標本の端面にコイルばねが接触することになるが、基台に対して、スムーズに挿脱できるようにすることが好ましく、例えば、コイルばねの一端（標本側）が配置される領域に帯状の部材を設け、これに沿って標本が移動するようにしてもよい。
また、ばねの他、弾性を有する部材を使用することができる。例えば、ゴムやウレタンなどでもよい。
【００２４】
更に、押圧部材としては、標本に接触する部材そのものがばね等の部材でなく、間接的な機構部分にばね等を用いたものも本発明の押圧部材の範囲である。例えば、基台に回転軸を設けこれに標本に接触する当接部材を回転可能に設け、軸と当接部材とを渦巻きばねを介して設置する構成にしてもよい。この場合にも標本と接触する当接部材は、スムーズに標本の挿脱が可能な構成にすることが好ましい。例えば、標本と接触する側の当接部材の形状を円弧上にすることが挙げられる。
【図面の簡単な説明】
【００２５】
【図１】は、標本ホルダの概略の上面図である。
【図２】は、押圧部材の概略の側面図である。
【図３】は、押圧部材の概略の上面図である。
【符号の説明】
【００２６】
1標本ホルダ基台
5      押圧部材
１ａ、１ｂ、１ｃ      当て面
【図１】
2005128441.tif 000003
【図２】
2005128441.tif 000004
【図３】
2005128441.tif 000005